(57)【要約】【課題】配管、設置工事が簡素化され、安価な給湯装置を提供する。【解決手段】底部に加熱装置１７を有する貯湯用の容器１６と、途中に開閉装置１５を有し水道管１１と容器１６と連通する給水経路１４と、途中に湯を送出する出湯装置１９を有し容器１６の略底部と出湯口２５とを連通する出湯経路１８と、途中に第１の圧力弁２９を有し容器１６内上部の空気層と本体外に開放した開放口２７とを連通する空気経路２８と、途中に第２の圧力弁３１を有し空気経路２８の第１の圧力弁２９の容器１６側と出湯経路１８の途中とを連通するバイパス経路３０とを備え、通常運転時に容器１６内で発生する膨張空気を解放口２７より本体外に開放し、異常圧力発生時には、その圧力で第１の圧力弁２９が閉じ、第２の圧力弁３１が開き、異常圧力がバイパス経路３０、出湯経路１８を経て、出湯口２５から解放されるので、異常圧力解放専用の管が不要になる。【選択図】図１
2005300054.tif 000002
【特許請求の範囲】
【請求項１】
底部に湯沸かし用の加熱装置を有する貯湯用の容器と、途中に開閉装置を有し水道管と前記容器と連通する給水経路と、途中に湯を送出する出湯装置を有し前記容器の略底部と水栓に設けた出湯口とを連通する出湯経路と、途中に第１の圧力弁を有し前記容器内上部の空気層と本体外に開放した開放口とを連通する空気経路と、途中に第２の圧力弁を有し前記空気経路の第１の圧力弁の前記容器側と前記出湯経路の途中とを連通するバイパス経路とを備えた給湯装置。
【請求項２】
底部に湯沸かし用の加熱装置を有する貯湯用の容器と、途中に開閉装置を有し水道管と前記容器と連通する給水経路と、途中に湯を送出する出湯装置を有し前記容器の略底部と水栓に設けた出湯口とを連通する出湯経路と、前記容器内上部の空気層と本体外に開放した開放口とを連通する空気経路と、前記空気経路の途中と前記出湯経路の途中とを連通するバイパス経路とを備え、前記空気経路と前記バイパス経路との連通部に三方圧力弁を備えた給湯装置。
【請求項３】
容器内の液体の沸騰直前に、保温に切替えるように加熱装置を制御する請求項１又は２に記載の給湯装置。
【請求項４】
給水経路の途中に、水道水を浄化する浄水装置を配した請求項１〜３のいずれか１項に記載の給湯装置。
【発明の詳細な説明】
【技術分野】
【０００１】
本発明は一般家庭で使用する、主に飲用、調理用の高温のお湯を供給するビルトインタイプの開放型貯湯容器式の給湯装置に関するものである。
【背景技術】
【０００２】
従来、この種のシンクキャビネット内にビルトインされた開放型の貯湯容器式の給湯装置は、本体から水栓の出湯口に連通する出湯経路と、同じ水栓に設けられた空気口に連通する空気経路の２本の配管（熱湯に関係する配管のみで浄水に関する配管は含まない）を用いている。
【０００３】
以下に、図８を用いて従来の給湯装置について説明する。
【０００４】
図８に示すように、従来の給湯装置は、シンクキャビネット１内に設置された本体２と、シンクキャビネット１上に設置された水栓３と、本体２に内蔵され加熱装置４を有する容器５と、容器５内の湯を出湯装置６により水栓３の出湯口７に導く出湯経路８と、容器６内の上部の空気層と水栓３に設けた空気口９と連通する空気経路１０とから構成されている（例えば、特許文献１参照）。
【特許文献１】特開２００２−１９５６５２号公報
【発明の開示】
【発明が解決しようとする課題】
【０００５】
しかしながら、従来の給湯装置の構成では、本体２から水栓３の出湯口７に連通する出湯経路８と空気口９に連通する空気経路１０の２本の配管（熱湯に関係する配管のみ）が必要なため、配管が複雑で、コストもかかり、設置工事も複雑になるという課題があった。
【０００６】
本発明は、前記従来の課題を解決するもので、配管を簡素化し、コスト低減を図り、設置工事も簡素化できる給湯装置を提供することを目的とする。
【課題を解決するための手段】
【０００７】
従来の課題を解決するために、本発明の給湯装置は、底部に湯沸かし用の加熱装置を有する貯湯用の容器と、途中に開閉装置を有し水道管と前記容器と連通する給水経路と、途中に湯を送出する出湯装置を有し前記容器の略底部と水栓に設けた出湯口とを連通する出湯経路と、途中に第１の圧力弁を有し前記容器内上部の空気層と本体外に開放した開放口とを連通する空気経路と、途中に第２の圧力弁を有し前記空気経路の第１の圧力弁の前記容器側と前記出湯経路の途中とを連通するバイパス経路とを備えたもので、通常運転時に容器内で発生する膨張空気は、開成された第１の圧力弁を経て解放口より本体外に開放され、異常圧力発生時には、その異常圧力で第１の圧力弁が閉じ、第２の圧力弁が開き、異常圧力がバイパス経路、出湯経路を経て、出湯口から解放されるので、本体から水栓に連通する熱湯に関する配管の数が減らせ、コスト低減を図り、設置工事も簡素化できる。
【０００８】
また、本発明の給湯装置は、底部に湯沸かし用の加熱装置を有する貯湯用の容器と、途中に開閉装置を有し水道管と前記容器と連通する給水経路と、途中に湯を送出する出湯装置を有し前記容器の略底部と水栓に設けた出湯口とを連通する出湯経路と、前記容器内上部の空気層と本体外に開放した開放口とを連通する空気経路と、前記空気経路の途中と前記出湯経路の途中とを連通するバイパス経路とを備え、前記空気経路と前記バイパス経路との連通部に三方圧力弁を備えたもので、通常運転時に容器内で発生する膨張空気は、解放口側が開いた三方圧力弁を経て解放口より本体外に開放され、異常圧力発生時には、その異常圧力で三方圧力弁がバイパス経路側に切り換わり、異常圧力がバイパス経路、出湯経路を経て、出湯口から解放されるもので、本体から水栓に連通する熱湯に関する配管の数、並びに圧力弁の数が減らせ、大幅なコスト低減を図り、設置工事も簡素化できる。
【発明の効果】
【０００９】
本発明の給湯装置は、水栓と本体間の配管数を減らし、装置全体の配管を簡素化し、コスト低減を図り、設置工事も簡素化することができる。
【発明を実施するための最良の形態】
【００１０】
第１の発明は、底部に湯沸かし用の加熱装置を有する貯湯用の容器と、途中に開閉装置を有し水道管と前記容器と連通する給水経路と、途中に湯を送出する出湯装置を有し前記容器の略底部と水栓に設けた出湯口とを連通する出湯経路と、途中に第１の圧力弁を有し前記容器内上部の空気層と本体外に開放した開放口とを連通する空気経路と、途中に第２の圧力弁を有し前記空気経路の第１の圧力弁の前記容器側と前記出湯経路の途中とを連通するバイパス経路とを備えたもので、通常運転時に容器内で発生する膨張空気は、開成された第１の圧力弁を経て解放口より本体外に開放され、異常圧力発生時には、その異常圧力で第１の圧力弁が閉じ、第２の圧力弁が開き、異常圧力がバイパス経路、出湯経路を経て、出湯口から解放されるので、本体から水栓に連通する熱湯に関する配管の数が減らせ、コスト低減を図り、設置工事も簡素化できる。
【００１１】
第２の発明は、底部に湯沸かし用の加熱装置を有する貯湯用の容器と、途中に開閉装置を有し水道管と前記容器と連通する給水経路と、途中に湯を送出する出湯装置を有し前記容器の略底部と水栓に設けた出湯口とを連通する出湯経路と、前記容器内上部の空気層と本体外に開放した開放口とを連通する空気経路と、前記空気経路の途中と前記出湯経路の途中とを連通するバイパス経路とを備え、前記空気経路と前記バイパス経路との連通部に三方圧力弁を備えたもので、通常運転時に容器内で発生する膨張空気は、解放口側が開いた三方圧力弁を経て解放口より本体外に開放され、異常圧力発生時には、その異常圧力で三方圧力弁がバイパス経路側に切り換わり、異常圧力がバイパス経路、出湯経路を経て、出湯口から解放されるもので、本体から水栓に連通する熱湯に関する配管の数、並びに圧力弁の数が減らせ、大幅なコスト低減を図り、設置工事も簡素化できる。
【００１２】
第３の発明は、特に、第１又は第２の発明の容器内の液体の沸騰直前に、保温に切替えるように加熱装置を制御するもので、発生する蒸気の量を大幅に低減でき、本体外への蒸気流出を大幅に低減できるものである。
【００１３】
第４の発明は、特に、第１〜３のいずれか１つの発明の給水経路の途中に、水道水を浄化する浄水装置を配したもので、湯沸かし前に浄水が行なわれるので、沸騰させて浄水を行う必要が無くなり、発生する蒸気量を大幅に低減できるとともに、よりおいしい飲用の熱湯を得ることができるものである。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における給湯装置が組み込まれたシンクキャビネットの断面図、図２は、同給湯装置の第１の圧力弁の断面図、図３は同給湯装置の第２の圧力弁の断面図である。
【００１６】
図１において、給湯装置の本体１３は、シンクキャビネット１２に内蔵されると共に、一般の水道管１１から分岐され途中に開閉装置１５を有する給水経路１４に接続されている。本体１３は、略密閉の貯湯用の容器１６と、容器１６の底部に配され液体を所定温度まで加熱及び一定温度で保温する加熱装置１７とを内蔵し、給水経路１４は、容器１６に連通している。一端が容器１６の底面に連通した出湯経路１８の途中に、加熱された液体を外部に導出するインペラー式ポンプ等からなる出湯装置１９が配されている。
【００１７】
シンクキャビネット１２の上部には水栓２０が設置されている。
【００１８】
給水経路１４の容器１６への連通部に給水口２１が配され、容器１６の内部には、満水位より上に位置し給水口２１より下に位置する水受皿２２と、給水された水を一旦水受皿２２に貯め加熱装置１７の近傍まで徐々に水を導く給水パイプ２３が設けられている。
【００１９】
出湯経路１８は、容器１６の底面より少し高い位置に設けた取水口２４と、水栓２０に設けた出湯口２５とを連通している。
【００２０】
容器１６の底部には、容器１６内の水温を検知する水温センサー２６が設けられている。
【００２１】
２７は、本体１３の外に開放した開放口２７で、空気経路２８を介して容器１６内の上部空気層と連通している。空気経路２８の途中には第１の圧力弁２９が設けられている。３０は、途中に第２の圧力弁３１を有すると共に、出湯経路１８の途中と空気経路２８に配した第１の圧力弁２９より容器１６側とを連通するバイパス経路である。
【００２２】
３２は、容器１６内の水位を検知する水位センサーで、３３は、水栓２０に設けられ外部より操作可能な表示操作部である。３４は、水温センサー２６、水位センサー３２、表示操作部３３等からの情報にもとづき開閉装置１５、加熱装置１７、出湯装置１９等を制御する制御装置である。
【００２３】
次に、図２を用いて、第１の圧力弁２９の構造と動作を説明する。
【００２４】
図２において、中心線より右は「開放」状態を、左は「閉」状態を示す。
【００２５】
図において、第１の圧力弁２９は、第１の弁体３５と、第１の流入口３９と、第１の流出口４０とを備えている。第１の弁体３５は、第１のシール部３６と、第１の軸部３７から構成され、３８は、第１の弁体３５の上下運動を支える第１のガイドである。
【００２６】
第１の圧力弁２９は、通常図の右の状態にあり、第１の弁体３５は、その自重により第１のガイド３８側に位置して、第１の流入口３９と第１の流出口４０とを連通している。
【００２７】
一方、第１の流入口３９側の圧力が上昇（異常圧力発生時等）すると、図の左半分に示されるように、その圧力により第１の弁体３５が上方に押され流出口４０を閉じるようになっている。
【００２８】
次に、図３を用いて、第２の圧力弁３１の内部構造と動作を説明する。
【００２９】
図３において、中心線より上は「閉」状態を、下は「開放」状態を示す。
【００３０】
図において、第２の圧力弁３１は、第２の弁体４１と、第２の弁体４１の左右運動を支える第２のガイド４４と、第２の流入口４５と、第２の流出口４６と、第２の弁体４１を第２の流入口４５側に付勢するばね４７を備えている。第２の弁体４１は第２のシール部４２と第２の軸部４３から構成されている。
【００３１】
第２の圧力弁３１は、通常図の上の状態、即ち第２の弁体４１がばね４７により付勢されて、第２の流入口４５を閉じている。一方第２の流入口４５側の圧力が上昇（異常圧力発生時等）すると、図の下半分に示されるように、その圧力により第２の弁体４１が、ばね４７の付勢力に抗して、図の左方に押され第２の流出口４６が開放される。
【００３２】
以上のように構成された給湯装置について、以下にその動作、作用を説明する。
【００３３】
まず、水道水が開閉装置１５の開閉により約１００〜２００ｍｌ程度の少量ずつ給水される。この時給水された水は一旦水受皿２２で受けられ給水パイプ２３をゆっくり通過して容器１６内の取水口２４より低い底部近傍に水の温度による比重差により静かに給水される。一定量給水されると水温センサー２６により給水されたことを検知し加熱装置１７により加熱を開始し水温センサー２６で温度を検知しながら所定温度まで加熱する。この給水湯沸かしを、水位センサー３２が所定の湯量（満水位）を検知するまで繰り返し、制御装置３４により、水温センサー２６で検知した容器１６内の水温が沸騰直前になった時に保温に切替え、以降湯温を一定温度に維持するように制御する。
【００３４】
湯沸かしにより、容器１６内の湯温が上昇すると容器１６内上部の空気層が膨張するが、空気経路２８、第１の圧力弁２９を経て、開放口２７から大気に開放される。
【００３５】
容器１６内の湯の出湯は、表示操作部３３を操作して、出湯装置１９を運転することにより、容器１６内の取水口２４から出湯経路１８を通り出湯口２５より任意に出湯可能となる。この時容器１６内の湯の減少と共に開放口２７から空気を取り込みスムースな出湯が可能となる。また、容器１６が開放口２７により大気に開放されているため、出湯停止後は出湯経路１８内の湯が容器１６内の水位と同じ高さまで湯が素早く戻る。
【００３６】
出湯後容器１６内の湯量が減ると、水位センサー３２からの情報により制御装置３４が自動的に開閉装置１５を開閉し前述の小水量湯沸かし（一回の給水が約１００〜２００ｍｌ程度の給水・湯沸かし）を所定の水量（満水位）になるまで繰り返し行い常に所定の水量を維持している。容器１６内への給水中も、取水口２４が容器１６の底面より少し高い位置にあるため水の温度による比重差でゆっくり給水された水は容器１６の底部に静かに給水されるため元々あった容器１６内の高温の湯だけを取り出すことができ、飲用や調理にこの湯をふんだんに使い、効率よく飲用や調理を行うことができる。
【００３７】
また、空気経路２８が第１の圧力弁２９を介し、開放口２７で大気に連通しているため、本体１３と水栓２０の間が１本の配管で実現でき、配管を簡素化し、コスト低減を図り、さらに配管工事も簡素化できる。
【００３８】
さらに、容器１６内での異常圧力発生時、例えば故障により連続沸騰状態となった場合等、異常発生した蒸気の勢いにより第１の圧力弁２９が閉じられ、その結果第２の圧力弁３１の第２の流入口４５の圧力が上昇しその圧力により第２の圧力弁３１が開き異常発生蒸気をバイパス経路３０、出湯経路１８を介して水栓２０の出湯口２５から安全にシンクに開放することができる。また、出湯口２５から蒸気を流出させることでお客様に異常を知らしめることができ、その結果お客様自ら適切な対応ができるものである。
【００３９】
つまり、異常発生時にお客様が気づかないうちにシンクキャビネット１２内に大量の蒸気を開放してしまいシンクキャビネット１２内を台無しにすることもなく、またお客様が異常に気づくことができ適切な対応ができるものである。
【００４０】
また、容器１６内の水の湯沸かし時の湯温が沸騰温度になる直前に保温に切替え、保温するように制御しているため、蒸気をほとんど発生させることがなく、本体１３からシンクキャビネット１２内に放出する蒸気量を大幅に低減できるものである。
【００４１】
（実施の形態２）
図４は、本発明の第２の実施の形態における給湯装置を組み込んだシンクキャビネットの断面図で、図５は、同給湯装置に内蔵された三方圧力弁の断面図である。
【００４２】
本実施の形態は、上記第１の実施の形態におけるバイパス経路３０と空気経路２８との連通部に三方圧力弁４８を配し、第１、第２の圧力弁２９、３１を廃止したもので、他の構成は、第１の実施の形態と同一である。
【００４３】
図５に示すように、三方圧力弁４８は、回動自在のシーソー弁４９を内蔵すると共に、空気経路２８の容器１６側に接続される流入口５０と、空気経路２８の解放口２７側に接続される第１の流出口５１と、バイパス経路３０に接続される第２の流出口５２を備えている。
【００４４】
以上のように構成された給湯装置について、以下にその動作、作用を説明する。
【００４５】
通常運転時は、図５（Ａ）に示すように、シーソー弁４９が下方に位置し、流入口５０と第１の流出口５１が連通状態となっている。
【００４６】
一方流入口５０側に異常圧力が発生すると、その圧力によりシーソー弁４９が図の反時計方向に回転し、図５（Ｂ）に示すように、第１の流出口５１を閉じるとともに第２の流出口５２を開き異常圧力を第２の流出口５２側に開放することとなり、異常圧力の解放が１つの圧力弁で実現できるため、圧力弁の数を減らすことができ、構造が簡素化でき、トータルとしてのコスト低減を図ることができる。
【００４７】
（実施の形態３）
図６、７は、本発明の第３の実施の形態における給湯装置を組み込んだシンクキャビネットの断面図である。
【００４８】
本実施の形態は、給水経路１４の開閉装置１５と給水口２１の間に、活性炭や中空糸膜フィルターなどで水道水を浄化する浄水装置５３を設置するもので、図６は、上記第１の実施の形態における給湯装置に同浄水装置５３を設置した例を、図７は、上記第２の実施の形態における給湯装置に同浄水装置５３を設置した例を、それぞれ示している。
【００４９】
以上のように構成された給湯装置について、以下にその動作、作用を説明する。
【００５０】
水道水は、浄水装置５３により、湯沸かし前に十分浄化されているので、水の浄化目的で沸騰させる必要がなく、湯沸かし時に沸騰直前に保温に切替えられ、それにより本体１３外への蒸気の排出量を大幅に低減できるとともに、さらにおいしい飲用の湯が提供できるものである。
【産業上の利用可能性】
【００５１】
以上のように、本発明にかかる給湯装置は、水栓と本体間の配管を減らし、装置全体の配管を簡素化し、コスト低減を図り、設置工事も簡素化されるので、各種給湯装置に適用できる。
【図面の簡単な説明】
【００５２】
【図１】本発明の実施の形態１における給湯装置を組み込んだシンクキャビネットの断面図
【図２】同給湯装置の第１の圧力弁の断面図
【図３】同給湯装置の第２の圧力弁の断面図
【図４】本発明の実施の形態２における給湯装置を組み込んだシンクキャビネットの断面図
【図５】（Ａ）同給湯装置の第１の流出口側が開放状態の三方圧力弁の断面図（Ｂ）同第２の流出口側が開放状態の三方圧力弁の断面図
【図６】本発明の実施の形態３における給湯装置を組み込んだシンクキャビネットの断面図
【図７】他の例を示す給湯装置を組み込んだシンクキャビネットの断面図
【図８】従来の給湯装置を組み込んだシンクキャビネットの部分断面図
【符号の説明】
【００５３】
１１  水道管
１３  本体
１４  給水経路
１５  開閉装置
１６  容器
１７  加熱装置
１８  出湯経路
１９  出湯装置
２０  水栓
２５  出湯口
２７  開放口
２８  空気経路
２９  第１の圧力弁
３０  バイパス経路
３１  第２の圧力弁
４８  三方圧力弁
５３  浄水装置
【図１】
2005300054.tif 000003
【図２】
2005300054.tif 000004
【図３】
2005300054.tif 000005
【図４】
2005300054.tif 000006
【図５】
2005300054.tif 000007
【図６】
2005300054.tif 000008
【図７】
2005300054.tif 000009
【図８】
2005300054.tif 000010